(57)【要約】【課題】操作装置に何らの加工もせずに操作盤に確実に取り付けられて、容易に取り外しも可能な取り付け方法を提供する。【解決手段】操作盤１０の操作装置差込穴の周囲に鋭利な角部を有する板バネ状の爪１１を設け、操作装置２０の側面を咥えて保持固定する。爪は操作盤の穴の内縁を加工することによって形成してもよいし、別部材として構成したものを穴の内縁に固定してもよい。本発明の操作装置固定金具によれば、操作装置を何らの加工もせずに、操作盤の取り付け穴に挿し込むだけで、操作盤面に確実に取り付けられ、取り外すことも容易にできる。【選択図】図３
2007132479.tif 000002
【特許請求の範囲】
【請求項１】
操作装置を差し込む穴を有し、少なくとも前記穴を囲む部分は曲げに対し高い剛性を有する材料からなる板状部と、前記穴に差し込まれた操作装置を前記穴内に固定する固定手段とを備えた操作装置固定具であって、
前記固定手段は、前記板状部の穴の内縁に内側から外側に向かって複数対のスリットを形成することによって一対のスリット間にそれぞれ形成される板片からなり、前記板片は前記操作装置の挿入方向に向かって前記板状部材に対し屈曲し、屈曲状態において、その先端部が前記穴の内縁より内側に突出していることを特徴とする操作装置固定具。
【請求項２】
操作装置を差し込む穴を有し、少なくとも前記穴を囲む部分は曲げに対し高い剛性を有する材料からなる板状部と、前記穴に差し込まれた操作装置を前記穴内に固定する固定手段とを備えた操作装置固定具であって、
前記固定手段は、前記板状部の穴の内縁の複数個所に固定される断面略Ｖ字状の固定部材からなり、前記固定部材のＶ字状の一辺は前記板状部に固定され、他の片はその先端部が前記穴の内縁より内側に突出していることを特徴とする操作装置固定具。
【請求項３】
請求項２記載の操作装置固定具であって、前記板状部は、前記穴の内縁に前記固定部材を係止する切欠きが形成されていることを特徴とする操作装置固定具。
【請求項４】
請求項２又は３に記載の操作装置固定具であって、前記板状部の、前記固定部材が固定される部分に段差が設けられていることを特徴とする操作装置固定具。
【請求項５】
請求項１ないし４のいずれか１項に記載の操作装置固定具であって、前記板状部は前記操作装置を取り付ける機械の操作盤面を兼ねることを特徴とする操作装置固定具。
【発明の詳細な説明】
【技術分野】
【０００１】
本発明は、コンピュータ制御式工作機械の操作盤面に、樹脂製BOXに容れられた入力装置や、モニター画面装置、マウスBOX等を取り付けるための固定具に関するものである。
【背景技術】
【０００２】
近年の目覚しいコンピュータの発達に伴い、物を生産する工場でもコンピュータを用いた自動化が進み、各生産工程の作業装置ごとに作業がプログラム化され、コンピュータにより自動化されつつある。
一方、コンピュータは、汎用化が進み、本体装置、入力装置、画面表示装置（以下、操作装置という）の多くが樹脂製のケ−スに容れられてユニット化され、市販されている。各作業装置には、このユニット化された操作装置が採用され、組み込まれている。通常、作業装置には、その操作のための操作盤が設けられているので、市販の操作装置はこの操作盤に取り付けられることが多い。
【０００３】
従来その取り付け方法としては、市販されている操作装置のケ−スに穴を開けて、ボルトやビスで操作盤面にネジ止めして固定したり、両面テープや面ファスナーを操作装置と操作盤に接着したりして、固定または着脱可能に固定している。この操作装置は確実に固定されていなければならない反面、メンテナンスや、交換のために、取り外しできなければならない。
【発明の開示】
【発明が解決しようとする課題】
【０００４】
ボルトやビス止めの場合は、確実な取り付けが可能で、取り外しも可能であるが、操作装置と操作盤に精密な穴あけ加工やタップたて加工が必要となり、操作装置交換の都度、この加工が必要となり、手間が掛かるうえ、加工時やネジ締め付け時に操作装置を破損する恐れもある。
両面テープで接着した場合は、周囲の温度変化や、操作装置の重量が常時掛かった状態では、やがて剥離して脱落することがある。
剥離しないテープや接着材を用いた場合は、着脱不能となり交換できない。面ファスナーは取り外しは容易であるが、取り付け面の角度によっては、外れ落ちる危険があり、確実性に欠ける。ファスナー表面に埃などが付着し易い欠点もある。
【０００５】
また、超精密な装置においては、加工時や操作装置着脱時にネジ加工による微細なバリが、落ちて周囲の機器に思わぬ障害を起こす原因となることがある。
【０００６】
本発明の目的は、操作装置を操作盤に容易に且つ確実に取り付けることができ、取り外しも容易な取り付け手段を提供することにある。
【課題を解決するための手段】
【０００７】
上記目的を達成するために、本発明の操作装置固定具は、操作装置を差し込む穴を有し、少なくとも前記穴を囲む部分は曲げに対し高い剛性を有する材料からなる板状部と、前記穴に差し込まれた操作装置を前記穴内に固定する固定手段とを備え、前記固定手段は、前記板状部の穴の内縁に内側から外側に向かって複数対のスリットを形成することによって一対のスリット間にそれぞれ形成される板片からなり、前記板片は前記操作装置の挿入方向に向かって前記板状部材に対し屈曲し、屈曲状態において、その先端部が前記穴の内縁より内側に突出していることを特徴とする。
【０００８】
また本発明の操作装置固定具は、操作装置を差し込む穴を有し、少なくとも前記穴を囲む部分は曲げに対し高い剛性を有する材料からなる板状部と、前記穴に差し込まれた操作装置を前記穴内に固定する固定手段とを備え、前記固定手段は、前記板状部の穴の内縁の複数個所に固定される断面略Ｖ字状の固定部材からなり、前記固定部材のＶ字状の一辺は前記板状部に固定され、他の片はその先端部が前記穴の内縁より内側に突出していることを特徴とする。
【発明の効果】
【０００９】
本発明の操作装置固定具によれば、操作装置を操作盤或いは操作盤に固定した板状部の外側から、差込み穴に押し込むだけで、固定手段である板片あるいは固定具の先端が操作装置の壁面に喰いつき、板片あるいは固定具の反発弾性力で操作装置を差込穴内に確実に固定、保持できる。
差込穴内に固定された操作装置と板片あるいは固定具との間にドライバー等の先端を差し入れて板片あるいは固定具を僅かに起こすことにより、容易に操作装置を操作盤から取り外すこともできる。
【発明を実施するための最良の形態】
【００１０】
本発明による操作装置固定具の実施形態について図面を用いて説明する。
図１は、本発明が適用されるコンピュータ制御式工作機械1の外観を示す図、図２は本発明の操作装置固定具を用いて図１の工作機械の盤面１０にキーボード２０を固定した状態を示す図である。本実施の形態の操作装置固定具は、図１に示すようなコンピュータ制御式工作機械1の制御盤２の盤面１０に形成されており、例えば、コンピュータの入力装置であるキーボード２０を盤面１０に固定する。
【００１１】
図３〜図５は、操作装置固定具の第１の実施の形態を示す図で、図３（ａ）は裏面側から見た斜視図、（ｂ）はその要部を示す図、図４（ａ）は裏面側から見た平面図、（ｂ）は側面図である。図５（ａ）、（ｂ）はそれぞれ図４（ａ）、（ｂ）の要部を示す平面図、側面図である。
【００１２】
制御盤２の盤面１０は、金属など剛性のある材料からなり、図３および図４に示すようにキーボード２０を挿入するための穴１２が形成されている。穴１２の形状は、キーボード２０の裏面形状とほぼ同じで、内寸は側面の外周とほぼ同じかやや大きい。図示する実施の形態では、キーボード２０の裏面と同じ長方形の穴が形成されており、穴の大きさはキーボード２０の側面外周よりもやや大きく、キーボード２０の鍔部２２よりは小さい。
【００１３】
穴１２の内縁には、長方形の一対の短辺に沿ってそれぞれ３つ（合計６個）の固定爪１１が形成されている。固定爪１１は、穴１２の内側から外側に向かって形成された一対のスリットに挟まれた板片からなる。この固定爪１１は、盤面１０の裏面側に屈曲しており、屈曲した状態で、その先端１１１が穴１２の内縁より内側にわずかに突出している。これによって穴１２にキーボード２０が差し込まれたときに、固定爪１１が側面２１に食い込み、確実に固定するように構成されている。
【００１４】
すなわち図５に示すように、固定爪１１は、キーボード２０を穴１２に挿し込む前の状態（破線で示す）では、盤面に対し約２０〜３０度の傾斜（α）で盤の裏側に傾斜していて、先端角部１１１は内縁より穴１２の内側に突出ている。突出量ｄは０．５mm〜１mm程度が適当である。この状態で、キーボード２０を穴１２に押し込むと、キーボード２０の側面２１が、固定爪１１のバネ力を押し退けて固定爪１１は反り返り、側面２１を受け容れる。更に、キーボード２０の鍔部２２が盤面１０に当たるまで押し込むと、固定爪１１の復元バネ力で、キーボード２０を押し戻す方向に側面２１を押す。この力によってキーボード２０が若干戻ろうとする時、固定爪１１の先端角部１１１が穴の内側に向って非常に大きな分力で、側面２１に引っ掛かり食込む。キーボード２０の側面２１は樹脂製であるので、硬い材質の爪先端の鋭利な角部１１１は容易に側面２１に食込むことができる。その結果、対向する固定爪１１間にキーボード２０を挟んで固定し、保持する。言い換えれば固定爪１１が側面２１から受ける、挫屈方向の強大な分力が、鋭利な角部１１１を側面２１に食込ませる効果を発揮する。
【００１５】
なお鋭利な角部１１１は、固定爪１１の先端を部材の厚み方向に対し所定の鋭角θ（例えば約４５度）で切り落とすことにより容易に形成できる。
一度取り付けたキーボード２０を、メンテナンスや交換のために取り外すときは、盤面１０の裏側から、固定爪１１の内側にスクリュードライバなどを差し込んで固定爪１１を側面２１から離れる方向に僅かに起こして、角部１１１の食込みを解除して容易に取り外すことができる。
【００１６】
なお本実施の形態では、短辺のみに固定爪１１を設けた場合を示したが、長辺に設けてもよいし、両方に設けてもよい。また固定爪の数もサイズに応じて任意に変更することが可能である。
【００１７】
このように本実施の形態によれば、キーボード２０等の操作装置の形状と同じ穴を盤面１０に形成すると共に穴の内縁（対向する２辺）に先端が内側にわずかに突出する固定爪を形成することにより、操作装置を穴１２に差し込むだけで、固定爪１１のバネ力により確実に且つ位置精度よく操作装置を固定することができ、極めて容易にキーボード２０を盤面１０に取り付けることができる。また取り付けた後のキーボード２０を盤面１０から取り外すには、ドライバーなどを用いて簡単に取り外すことができる。
【００１８】
なお本実施の形態では、操作装置として鍔部２２を有するキーボード２０の場合を説明したが、キーボード以外の操作装置についても全く同様に取り付け取り外しを行うことができる。また鍔部を有しないものであっても、操作装置の底面のサイズが正面のサイズより小さく、傾斜した側面を有するものであれば、穴の大きさを底面のサイズと正面のサイズの間の大きさにしておくことにより、同様に固定することが可能である。
【００１９】
また操作装置の鍔部がない場合あるいは鍔部が比較的小さく、操作装置を挿入した状態で固定爪１１が盤表面に現れる場合には、それを隠すための化粧枠を設けることも可能である。化粧枠を設けた実施形態を図６に示す。
【００２０】
本実施の形態においても、盤面１０に操作装置２０の側面外周とほぼ同じ形状、大きさの穴１２を設け、その内縁に固定爪１１を形成した点は、図２〜図５に示す実施の形態と同様である。ただし、本実施の形態では長方形の穴の長辺と短辺の両方に固定爪１１が形成されている。また盤面１０と操作装置２０の鍔部２２との間に、固定爪１１を覆う化粧枠３０が設けられている。化粧枠３０の内周は操作装置２０の鍔部２２の外周より小さく、化粧枠３０の外周は固定爪１１の根元をつないだ周囲より大きい。化粧枠３０の材質は特に限定されないが、ゴムや樹脂の弾力性のある緩衝材からなることが好ましい。このような材料を用いることにより、パッキン材として操作装置２０を盤面１０に密着させるという効果も得られる。
【００２１】
次に本発明の第２の実施の形態について図７を参照して説明する。図７（ａ）は、第２の実施の形態の操作装置固定具を裏面側から見た要部平面図、（ｂ）はそのＡ−Ａ断面図である。
【００２２】
本実施の形態においても、盤面１０に操作装置２０を挿入するための穴１２が形成されていること、穴１２の内縁に沿って複数の固定爪が設けられることは第１の実施の形態と同様である。しかし本実施の形態では固定爪４０は盤面１０とは別部品であって、盤面１０に固定されている。盤面１０には固定爪４０を固定するための切欠き１４が形成されている。
【００２３】
固定爪４０は、バネ鋼または、それに準じる硬い弾性に富んだ材料からなる断面が略Ｖ字状の部材で、盤面１０の上面に固定される接触面４３と、接触面４３に対し鋭角α（例えば２０度前後）で折り返された傾斜部４２と、接触面４３に対し約直角に折り返された端部４４とからなる。端部４４の幅と切欠き１４の幅とはほぼ一致しており、端部４４を切欠き１４に挿入し、接触面４３を盤面１０の上面に強力な接着材で接着することにより、固定爪４０を盤面１０に固定する。
【００２４】
固定爪４０を盤面１０に固定した状態で、傾斜部４２の端部は穴１２の内縁よりも穴の内側に突出し、鋭利な角部４１となって操作装置２０の側面２１に食い込み側面２１を保持する。なお図（ｂ）において、αは操作装置を挿し込む前の接触面４３と傾斜部４２との角度、α２は挿し込み中の角度、α１は挿し込み後の角度を示している。
【００２５】
本実施の形態の操作装置固定具についても、第１の実施の形態と同様に、穴１２に操作装置２０を差し込むという簡単な操作で確実に操作装置を固定することができ、またドライバー等を用いることにより簡単に取り外すことができる。
さらに本実施の形態の操作装置固定具では、固定爪を盤面１０の材料とは別の部材で構成したことにより、固定爪の大きさ、材料、板厚などを任意に選択することができる。これにより操作装置を保持するのに最適なバネ力の固定爪を具備することができる。
また盤面１０に固定爪を固定するための切欠けを設けたことにより、固定爪の位置決めを容易且つ確実にすることができる。
【００２６】
次に本発明の第３の実施の形態について図８を参照して説明する。図８（ａ）は、第３の実施の形態の操作装置固定具の部分側面図、（ｂ）は固定爪の側面図である。
本実施の形態においても、盤面１０に操作装置２０を挿入するための穴１２が形成されていること、穴１２の内縁に沿って複数の固定爪が設けられることは第１の実施の形態と同様であり、固定爪が盤面１０と別部材であることは第２の実施の形態と同様である。しかし本実施の形態では、固定爪５０は、穴１２の内縁に対し着脱自在である。
【００２７】
すなわち固定爪５０は、バネ鋼または、それに準じる硬い弾性に富んだ材料からなる断面が略Ｖ字状の部材で、盤面１０の上面に固定される接触面５３と、接触面５３に対し鋭角α（例えば２０度前後）で折り返された傾斜部５２と、接触面５３に対し隙間Ｃを持って逆向きに折り返された顎部５５とからなる。
【００２８】
接触面５３と顎部５５の隙間Ｃは開口部で盤面の板厚tより狭く、底部では、盤面板厚tより広くなっており、接触面５３と顎部５５との隙間で盤面内縁を強く確実に挟んで固定する。従って本実施形態の固定爪５０に於いては、接触面５３と盤面１０との接着は不要である。このことは現場における着脱作業が短時間で済むという大きな効果を生む。
【００２９】
固定爪５０を盤面１０に固定した状態では、第２の実施の形態と同様に、傾斜部５２の端部は穴１２の内縁よりも穴の内側に突出し、鋭利な角部５１となって操作装置２０の側面２１に食い込み側面２１を保持する。
【００３０】
本実施形態においても、第２の実施の形態のように盤面１０に固定爪５０を固定するための切欠き１４を設けてもよいが、切欠き１４は無くてもよい。その場合は固定爪５０を任意の位置に任意の数、取り付けることができる。
また固定爪５０の折り返し顎部５５の外周に、盤面１０と操作装置２０の鍔部２２間の隙間を埋める化粧枠６０を介在させてもよい。化粧枠６０をゴムや樹脂の弾力性と気密性のある素材で構成することにより、パッキンとして、操作装置２０を盤面１０に密着させることもできる。
固定爪５０の作用、効果は第１および第２の実施の形態と同じである。
【００３１】
次に本発明の第４の実施の形態について図９を参照して説明する。図９は、第４の実施の形態の操作装置固定具の部分側面図である。
【００３２】
本実施の形態の固定具は、第３の実施の形態とほぼ同じ構成であるが、固定爪５０を固定する盤面１０の部分に段差１５を設けた点が異なる。盤面１０の内縁を接触面５３と顎部５５とで挟み込む構造の固定爪５０を用いた場合には、図８（ａ）に示したように、盤面１０と操作装置２０の鍔部２２との間に、固定爪５０の厚さに相当する隙間を生じる。第３の実施の形態では、この隙間に化粧枠６０を介在させたものを示したが、本実施の形態では、盤面１０側に固定爪５０の厚さと同じかそれより若干大きい段差を設け、盤面１０と鍔部２２とを密着させるようにしたものである。これにより化粧枠６０がなくても操作装置が操作盤から浮き上がることなく取り付け可能で、固定爪の位置、個数も任意に選ぶことができる。必要であれば、化粧枠６０あるいはパッキンを設けてもよい。
【００３３】
なお、以上説明した実施の形態では、操作装置固定具を操作盤と一体に構成した場合を説明したが、操作装置を受け入れる穴（少なくとも対向する２辺間の間隔が操作装置の対向する２辺あるいは２点の間隔とほぼ一致し、且つ操作装置の裏面側全体を挿入できる大きさを有する穴）が形成された板状部材であれば、固定手段（固定爪）と組み合わせることにより本発明の操作装置固定具を構成することもできる。
【００３４】
また上記実施の形態では、操作装置としてキーボードを図示しているが、ボールマウスを内蔵したマウスケースや、液晶画面を内蔵したモニター装置、各種スイッチやパイロットランプを内蔵したケース等、樹脂ケースに容れられた操作装置であれば本発明の操作装置固定具を適用して取り付け可能であり、キーボードに限定されるものではない。
【図面の簡単な説明】
【００３５】
【図１】本発明の操作装置固定具を適用した工作機械装置の全体図
【図２】本発明の操作装置固定具を用いてキーボードを固定した状態を示す図
【図３】本発明の第1の実施の形態の操作装置固定具を示す裏面斜視図
【図４】本発明の第1の実施の形態の操作装置固定具を示す裏面正面図および側面図
【図５】本発明の第1の実施の形態の操作装置固定具の作用を説明する図
【図６】第１の実施の形態の変更例を示す図
【図７】本発明の第２の実施の形態の操作装置固定具を示す裏面部分正面図および部分側面図
【図８】本発明の第３の実施の形態の操作装置固定具を示す裏面部分正面図および固定爪の側面図
【図９】本発明の第４の実施の形態の操作装置固定具を示す部分側面図
【符号の説明】
【００３６】
１・・・コンピュ−タ制御式工作機械、２・・・操作盤、１０・・・操作盤表面板、１１・・・固定爪、１２・・・操作装置差込穴、１３・・・スリット、１４・・・切欠き、１５・・・段差部、２０・・・操作装置、２１・・・操作装置側面、２２・・・操作装置鍔部、３０・・・化粧枠、４０、５０・・・固定爪、６０・・・化粧板
【図１】
2007132479.tif 000003
【図２】
2007132479.tif 000004
【図３】
2007132479.tif 000005
【図４】
2007132479.tif 000006
【図５】
2007132479.tif 000007
【図６】
2007132479.tif 000008
【図７】
2007132479.tif 000009
【図８】
2007132479.tif 000010
【図９】
2007132479.tif 000011